(57)【要約】【課題】  ケースをかさばらせることなくＣＤを収納でき、しかも、ケース自体を安価に製造できるＣＤ収納体を提供すること。【解決手段】  ＣＤ収納体２は、ＣＤ収納部４を有するＣＤ収納片６と、このＣＤ収納片６に合わされＣＤ収納部４を覆うカバー片８とで構成されている。ＣＤ収納体２は片体１８から製作される。片体１８は、互いに平行する第１、第２折れ線２０、２２を介して連設された第１、第２、第３片体２４、２６、２８を備える。ＣＤ挿入用開口１２は第３片体２８に天地に対して斜め形成されている。第２折れ線２２を境として第２片体２６と第３片体２８を谷折りして重ね合わせ、これによりＣＤ収納部４を有するＣＤ収納片６が得られ、第１折れ線２０部分を谷折りすることでＣＤ収納体２が得られる。ＣＤ１４は扁平な袋１６に封入され、袋１６と共にＣＤ挿入用開口１２からＣＤ収納部４に挿入される。【選択図】        図６４
2004345740.tif 000002
【特許請求の範囲】
【請求項１】
互いに平行する複数の折れ線を介して連設された３つ以上の片体からなり、
前記３つ以上の片体のうちの一つの片体にＣＤ挿入用開口が形成され、
前記ＣＤ挿入用開口が形成された片体と、この片体以外の残りの片体のうちの一つの片体が重ね合わされ、
前記重ね合わされた双方の片体の間でかつ双方の片体の周囲の内側に形成されたＣＤ収納用の隙間と、このＣＤ収納用の隙間に連通する前記ＣＤ挿入用開口とでＣＤ収納部が形成され、
前記ＣＤ収納部を形成していない残りの片体は、前記ＣＤ挿入用開口が形成された前記片体上に折り畳まれ、
前記ＣＤ挿入用開口は、前記片体の天地に対して斜めに形成されている、
ことを特徴とするＣＤ収納体。
【請求項２】
互いに平行する３本以上の折れ線を介して連設された４つ以上の片体からなり、
前記４つ以上の片体のうちの２つの片体にそれぞれＣＤ挿入用開口が形成され、
前記ＣＤ挿入用開口が形成された片体と、ＣＤ挿入用開口が形成されていない残りの片体が重ね合わされ、
それぞれ重ね合わされた双方の片体の間でかつ双方の片体の周囲の内側に形成されたＣＤ収納用の隙間と、このＣＤ収納用の隙間に連通する前記ＣＤ挿入用開口とでＣＤ収納部が形成され、
各ＣＤ挿入用開口が形成された片体上には、ＣＤ挿入用開口が形成された片体あるいはＣＤ挿入用開口が形成されていない片体が折り畳まれ、
前記ＣＤ挿入用開口は、前記片体の天地に対して斜めに形成されている、
ことを特徴とするＣＤ収納体。
【請求項３】
互いに平行する６本以上の折れ線を介して連設された７つ以上の片体からなり、
前記７つ以上の片体のうちの３つの片体にそれぞれＣＤ挿入用開口が形成され、
前記ＣＤ挿入用開口が形成された片体と、ＣＤ挿入用開口が形成されていない残りの片体が重ね合わされ、
それぞれ重ね合わされた双方の片体の間でかつ双方の片体の周囲の内側に形成されたＣＤ収納用の隙間と、このＣＤ収納用の隙間に連通する前記ＣＤ挿入用開口とでＣＤ収納部が形成され、
各ＣＤ挿入用開口が形成された片体上には、ＣＤ挿入用開口が形成された片体あるいはＣＤ挿入用開口が形成されていない片体が折り畳まれ、
前記ＣＤ挿入用開口は、前記片体の天地に対して斜めに形成されている、
ことを特徴とするＣＤ収納体。
【請求項４】
本の表紙を構成するＣＤ収納体であって、
互いに平行する２本の折れ線を介して連設された第１表紙、第２表紙、第３表紙からなる表紙を備え、
前記第１表紙にＣＤ挿入用開口が形成され、
前記第１表紙が第２表紙上に折り畳まれて第１表紙と第２表紙が重ね合わされ、
重ね合わされた第１表紙と第２表紙の間でかつ第１表紙と第２表紙の周囲の内側に形成されたＣＤ収納用の隙間と、このＣＤ収納用の隙間に連通する前記ＣＤ挿入用開口とでＣＤ収納部が形成され、
前記第２表紙と第３表紙の折れ線部分に本文の背が位置し、前記重ね合わされた第１表紙が本文に臨むように表紙と本文が取着され、
前記ＣＤ挿入用開口は、前記第１表紙の天地に対して斜めに形成されている、
ことを特徴とするＣＤ収納体。
【請求項５】
本の表紙を構成するＣＤ収納体であって、
互いに平行する３本の折れ線を介して連設された第１表紙、第２表紙、背表紙、第３表紙からなる表紙を備え、
前記第１表紙にＣＤ挿入用開口が形成され、
前記第１表紙が第２表紙上に折り畳まれて第１表紙と第２表紙が重ね合わされ、
重ね合わされた第１表紙と第２表紙の間でかつ第１表紙と第２表紙の周囲の内側に形成されたＣＤ収納用の隙間と、このＣＤ収納用の隙間に連通する前記ＣＤ挿入用開口とでＣＤ収納部が形成され、
前記背表紙に本文の背が位置し、前記重ね合わされた第１表紙が本文に臨むように表紙と本文が取着され、
前記ＣＤ挿入用開口は、前記第１表紙の天地に対して斜めに形成されている、
ことを特徴とするＣＤ収納体。
【請求項６】
前記ＣＤ収納用の隙間は、ＣＤのほぼ半部が収納される大きさで形成されている請求項１，２，３，４または５記載のＣＤ収納体。
【請求項７】
前記ＣＤは扁平な袋に挿入された状態で前記ＣＤ収納用の隙間に収納される請求項１，２，３，４または５記載のＣＤ収納体。
【請求項８】
前記ＣＤ収納部は、前記折れ線の延在方向に間隔をおいて複数設けられる請求項１，２，３，４または５記載のＣＤ収納体。
【請求項９】
前記ＣＤ収納部は、前記折れ線の延在方向と直交する方向に間隔をおいて複数設けられる請求項１，２，３，４または５記載のＣＤ収納体。
【請求項１０】
前記ＣＤ挿入用開口は、円弧状の上縁と円弧状の下縁により形成されている請求項１乃至９に何れか１項記載のＣＤ収納体。
【発明の詳細な説明】
【技術分野】
【０００１】
本発明はＣＤ（コンパクトディスク）を収納するＣＤ収納体に関し、更に詳細には、コストを掛けることなくＣＤを収納できるＣＤ収納体に関する。
【背景技術】
【０００２】
従来、ＣＤを収納する場合、ＣＤ収納用凹部を有する本体と、この本体に開閉可能に連結された蓋体とからなる透明なプラスチック製ケースが一般に用いられている。
一方、ＣＤは、近年、パンフレットと共に頒布されたり、月刊誌、週刊誌等に添付されて店頭に陳列されたりする等、その流通形態が種々の分野に拡大されつつある。
【発明の開示】
【発明が解決しようとする課題】
【０００３】
しかしながら、ＣＤの流通分野が拡大されているものの、従来のプラスチックケースでは、例えば、ＣＤをパンフレットと共に頒布するような場合には、ケースがかさばって取り扱いが面倒になり、また、ＣＤを月刊誌、週刊誌等に添付する場合には、従来の製本ラインとは別に、ケースを本に取着するための特別の工程が必要となり、製本工程が複雑化し、コストが上昇する等の問題が生じる。
本発明は前記事情に鑑み案出されたものであって、本発明の目的は、ケースをかさばらせることなくＣＤを収納でき、また、従来の製本工程を使ってＣＤを本に添付でき、しかも、ケース自体を安価に製造でき、種々の流通形態に対応できるＣＤ収納体を提供することにある。
【課題を解決するための手段】
【０００４】
前記目的を達成するため本発明は、互いに平行する複数の折れ線を介して連設された３つ以上の片体からなり、前記３つ以上の片体のうちの一つの片体にＣＤ挿入用開口が形成され、前記ＣＤ挿入用開口が形成された片体と、この片体以外の残りの片体のうちの一つの片体が重ね合わされ、前記重ね合わされた双方の片体の間でかつ双方の片体の周囲の内側に形成されたＣＤ収納用の隙間と、このＣＤ収納用の隙間に連通する前記ＣＤ挿入用開口とでＣＤ収納部が形成され、前記ＣＤ収納部を形成していない残りの片体は、前記ＣＤ挿入用開口が形成された前記片体上に折り畳まれ、前記ＣＤ挿入用開口は、前記片体の天地に対して斜めに形成されていることを特徴とする。
【０００５】
また、本発明は、互いに平行する３本以上の折れ線を介して連設された４つ以上の片体からなり、前記４つ以上の片体のうちの２つの片体にそれぞれＣＤ挿入用開口が形成され、前記ＣＤ挿入用開口が形成された片体と、ＣＤ挿入用開口が形成されていない残りの片体が重ね合わされ、それぞれ重ね合わされた双方の片体の間でかつ双方の片体の周囲の内側に形成されたＣＤ収納用の隙間と、このＣＤ収納用の隙間に連通する前記ＣＤ挿入用開口とでＣＤ収納部が形成され、各ＣＤ挿入用開口が形成された片体上には、ＣＤ挿入用開口が形成された片体あるいはＣＤ挿入用開口が形成されていない片体が折り畳まれ、前記ＣＤ挿入用開口は、前記片体の天地に対して斜めに形成されていることを特徴とする。
【０００６】
また、本発明は、互いに平行する６本以上の折れ線を介して連設された７つ以上の片体からなり、前記７つ以上の片体のうちの３つの片体にそれぞれＣＤ挿入用開口が形成され、前記ＣＤ挿入用開口が形成された片体と、ＣＤ挿入用開口が形成されていない残りの片体が重ね合わされ、それぞれ重ね合わされた双方の片体の間でかつ双方の片体の周囲の内側に形成されたＣＤ収納用の隙間と、このＣＤ収納用の隙間に連通する前記ＣＤ挿入用開口とでＣＤ収納部が形成され、各ＣＤ挿入用開口が形成された片体上には、ＣＤ挿入用開口が形成された片体あるいはＣＤ挿入用開口が形成されていない片体が折り畳まれ、前記ＣＤ挿入用開口は、前記片体の天地に対して斜めに形成されていることを特徴とする。
【０００７】
また、本発明は、本の表紙を構成するＣＤ収納体であって、互いに平行する２本の折れ線を介して連設された第１表紙、第２表紙、第３表紙からなる表紙を備え、前記第１表紙にＣＤ挿入用開口が形成され、前記第１表紙が第２表紙上に折り畳まれて第１表紙と第２表紙が重ね合わされ、重ね合わされた第１表紙と第２表紙の間でかつ第１表紙と第２表紙の周囲の内側に形成されたＣＤ収納用の隙間と、このＣＤ収納用の隙間に連通する前記ＣＤ挿入用開口とでＣＤ収納部が形成され、前記第２表紙と第３表紙の折れ線部分に本文の背が位置し、前記重ね合わされた第１表紙が本文に臨むように表紙と本文が取着され、前記ＣＤ挿入用開口は、前記第１表紙の天地に対して斜めに形成されていることを特徴とする。
【０００８】
また、本発明は、本の表紙を構成するＣＤ収納体であって、互いに平行する３本の折れ線を介して連設された第１表紙、第２表紙、背表紙、第３表紙からなる表紙を備え、前記第１表紙にＣＤ挿入用開口が形成され、前記第１表紙が第２表紙上に折り畳まれて第１表紙と第２表紙が重ね合わされ、重ね合わされた第１表紙と第２表紙の間でかつ第１表紙と第２表紙の周囲の内側に形成されたＣＤ収納用の隙間と、このＣＤ収納用の隙間に連通する前記ＣＤ挿入用開口とでＣＤ収納部が形成され、前記背表紙に本文の背が位置し、前記重ね合わされた第１表紙が本文に臨むように表紙と本文が取着され、前記ＣＤ挿入用開口は、前記第１表紙の天地に対して斜めに形成されていることを特徴とする。
また、本発明は、前記ＣＤ収納用の隙間が、ＣＤのほぼ半部が収納される大きさで形成されていることを特徴とする。
また、本発明は、前記ＣＤが扁平な袋に挿入された状態で前記ＣＤ収納用の隙間に収納されることを特徴とする。
また、本発明は、前記ＣＤ収納部が、前記折れ線の延在方向に間隔をおいて複数設けられることを特徴とする。
また、本発明は、前記ＣＤ収納部が、前記折れ線の延在方向と直交する方向に間隔をおいて複数設けられることを特徴とする。
また、本発明は、前記ＣＤ挿入用開口が、円弧状の上縁と円弧状の下縁により形成されていることを特徴とする。
【０００９】
ＣＤ収納体の厚みは、各片体や表紙の厚みにＣＤの厚みを加えた寸法であり、従来のプラスチックケースに比べて薄く、従って、かさばることなく、取り扱いも簡単になされる。
また、ＣＤ収納体は、一枚の片体や表紙を折れ線から折り畳んで形成され、しかも、各折れ線は互いに平行しているため、片体や表紙をその折れ線と平行する方向に移動させつつ各片体を機械的に自動的に順次折り畳むことができ、従って、簡単な構成の部材、装置により低コストでＣＤ収納体を得ることができる。
【発明の効果】
【００１０】
本発明に係るＣＤ収納体によれば、従来のプラスチックケースに比べて薄く、従って、かさばることなく、取り扱いが簡単になされ、また、ＣＤ収納体は、一枚の片体や表紙を互いに平行する折れ線から折り畳んで製作されるため、低コストでＣＤ収納体を得ることが可能となる。
【実施例】
【００１１】
以下、本発明の実施例を添付図面に従って説明する。
図１（Ａ）は第１実施例に係るＣＤ収納体の斜視図を示す。
第１実施例に係るＣＤ収納体２は、ＣＤ付きパンフレットとして頒布されるものである。
ＣＤ収納体２は、ＣＤ収納部４を有するＣＤ収納片６と、このＣＤ収納片６に合わされＣＤ収納部４を覆うカバー片８とで構成されている。
ＣＤ収納部４はＣＤ収納片６に形成され底部と左右両側が閉塞されたＣＤ収納用の隙間１０と、この隙間１０に連通するＣＤ挿入用開口１２とで構成されている。
ＣＤ１４は、この実施例では、２つの矩形の透明なプラスチックシートがその外周の４辺が溶着された扁平な袋１６に不織布と共に封入されている。
前記ＣＤ挿入用開口１２は、袋１６がＣＤ収納部４に挿入される幅で形成されている。
ＣＤ挿入用開口１２が形成される高さは、ＣＤ挿入用開口１２から前記隙間１０にＣＤ１４が挿入された状態で、ＣＤ収納片６の地側とＣＤ挿入用開口１２の下縁との寸法がＣＤ１４のほぼ半径程度の寸法になるように設定されている。
ＣＤ挿入用開口１２の形状は、一定の幅で左右方向に延在する部分と、この部分の両端に接続され地側に突出する部分とで形成されている。
【００１２】
前記ＣＤ収納体２は、図 1（Ｂ）に示す片体１８から製作される。
片体１８は、互いに平行する第１、第２折れ線２０、２２を介して連設された第１，第２，第３片体２４、２６、２８を備える。
片体１８としては、例えば、厚紙や薄い合成樹脂製シート等を用いることができる。
各第１，第２，第３片体２４、２６、２８はＣＤ１４よりも大きい左右幅で上下に縦長の長方形に形成されている。
第１片体２４はカバー片８となり、第２、第３片体２６、２８によりＣＤ収納部４が形成される。
ＣＤ挿入用開口１２は第３片体２８に形成されている。
【００１３】
片体１８からＣＤ収納体２を製作するには、まず、図１（Ｂ）に斜線で示すように、第２片体２６と第３片体２８の内面の上下の縁に糊を塗布すると共に、第２片体２６の左側縁と第３片体２８の右側縁に糊を塗布する。
次に、図１（Ｃ）に示すように、第２折れ線２２を境として第２片体２６と第３片体２８を谷折りして重ね合わせ、前記糊により第２片体２６と第３片体２８を接着する。
第２片体２６と第３片体２８との接着は、片体１８の印刷工程時に形成した接着層により行うようにしてもよい。
この接着により、前記ＣＤ収納部４が得られ、図１（Ｄ）に示すように、第１折れ線２０を境に第１片体２４と第２片体２６を谷折りすることでＣＤ収納体２が得られる。
ＣＤ収納部４には、図１（Ｅ）、（Ｆ）に示すように、ＣＤ挿入用開口１２から袋１６と共にＣＤ１４が挿入され、この状態でＣＤ収納部４を覆うようにカバー片８が折り畳まれ、ＣＤ収納体２として市場に流通される。
【００１４】
第１実施例に係るＣＤ収納体２によれば、ＣＤ１４が第１片体２４と第２片体２６により挟まれて保護されることは無論のこと、ＣＤ１４が収納されたＣＤ収納体２の厚みは、第１、第２、第３片体２４、２６、２８の厚みにＣＤ１４の厚みを加えた寸法であり、従来のプラスチックケースに比べて薄く、従って、かさばることなく、取り扱いも簡単になされる。
また、ＣＤ収納体２は、一枚の片体１８を折れ線２０、２２から折り畳んで形成され、しかも、各折れ線２０、２２は互いに平行しているため、片体１８をその折れ線２０、２２と平行する方向に移動させつつ各片体２４、２６、２８を機械的に自動的に順次折り畳むことができ、従って、簡単な構成の部材、装置により低コストでＣＤ収納体２を得ることが可能となる。
尚、ＣＤ収納体２を、パンフレットとしてではなく、従来のプラスチックケースに変わるＣＤケースとして用いることができることは無論のことである。
【００１５】
第１実施例に係るＣＤ収納体２は厚みが薄いため、ＣＤ１４が収納された状態で、図２（Ａ）、（Ｂ）に示すように、折り丁として取り扱うことも可能であり、この場合には、第１片体２４と第２片体２６の境の第１折れ線２０部分が本文３０の背と共に綴金具３２により表紙３４の背に中綴され、ＣＤ付きの中綴本が製本される。
【００１６】
また、図３に示すように、第１片体２４を本文３０を構成する紙片に貼着し、本文３０の背を接着剤により表紙３４の背に取着することも可能であり、このようにすることでＣＤ付き無線綴本が得られる。
【００１７】
また、第１実施例に係るＣＤ収納体２は、図４（Ａ）、（Ｂ）に示すように、中綴本の表紙としても使用でき、この場合には本文３０の背と共に綴金具により第１折れ線２０部分が中綴され、第１片体２４（カバー片８）とＣＤ収納片６の間に本文３０が位置し、ＣＤ収納部４は本文３０により覆われることになる。
【００１８】
次に、図５を参照して第１実施例の変形例１について説明する。
図５に示す変形例１では、図５（Ａ）に示すように、第２片体２６にＣＤ挿入用開口１２を形成し、第２折れ線２２を境に第２片体２６と第３片体２８を山折りして糊で接着し、図５（Ｂ）、（Ｃ）で示すように、第１片体２４と第２片体２６を、第１折れ線２０を境に谷折りしてＣＤ収納体２を得るようにしたものである。
【００１９】
次に、図６、図７を参照して第１実施例の変形例２について説明する。
図６に示す変形例２の片体４０は、第１実施例の片体１８の第１片体２４の左側に、第３折れ線４２を介して第４片体４４を加えたものである。
変形例２では、図６（Ａ）に示すように、第２折れ線２２を境に第２片体２６と第３片体２８を谷折りして糊で接着し、図６（Ｂ）で示すように、ＣＤ収納片６を得、図６（Ｃ）で示すように、このＣＤ収納部４にＣＤ１４を挿入する。
そして、図７（Ａ）で示すように、第１、第３折れ線２０、４２部分を共に谷折りすることでＣＤ収納体２を得る。  または、図７（Ｂ）で示すように、第１折れ線２０部分を谷折りし、第３折れ線４２部分を山折りすることでＣＤ収納体２を得る。
または、図７（Ｃ）で示すように、第１折れ線２０部分を谷折りし、次に、ＣＤ収納片６を第１片体２４と第２片体２６で挟むよう第３折れ線４２部分を谷折りしてＣＤ収納体２を得る。
図７（Ａ）、（Ｂ）、（Ｃ）では、第１片体２４と第３片体４４がカバー片８の役割を果たしている。
【００２０】
次に、図８、図９を参照して第１実施例の変形例３について説明する。
変形例３の片体４０は、図５に示す変形例１の片体１８の第１片体２４の左側に、第３折れ線４２を介して第４片体４４を加えたものである。
変形例３では、図８（Ａ）に示すように、第２折れ線２２を境に第２片体２６と第３片体２８を山折りして糊で接着し、図８（Ｂ）で示すように、ＣＤ収納片６を得る。
そして、図９（Ａ）で示すように、第１、第３折れ線２０、４２部分を共に谷折りすることでＣＤ収納体２を得る。
または、図９（Ｂ）で示すように、第１折れ線２０部分を谷折りし、第３折れ線４２部分を山折りすることでＣＤ収納体２を得る。
または、図９（Ｃ）で示すように、第１折れ線２０部分を谷折りし、次に、ＣＤ収納片６を第１片体２４と第２片体２６で挟むよう第３折れ線４２部分を谷折りしてＣＤ収納体２を得る。
【００２１】
次に、図１０、図１１を参照して第１実施例の変形例４について説明する。
変形例４の片体４０は、図５に示す変形例１の片体１８の第３片体２８の右側に、第３折れ線４２を介して第４片体４４を加えたものである。
変形例４では、図１０（Ａ）に示すように、第２折れ線２２を境に第２片体２６と第３片体２８を山折りして糊で接着し、図１０（Ｂ）で示すように、ＣＤ収納片６を得る。
そして、図１１（Ａ）で示すように、第１、第３折れ線２０、４２部分を共に谷折りすることでＣＤ収納体２を得る。
または、図１１（Ｂ）で示すように、第１折れ線２０部分を谷折りし、第３折れ線４２部分を山折りすることでＣＤ収納体２を得る。
【００２２】
次に、図１２を参照して第２実施例について説明する。
第２実施例に係るＣＤ収納体２は二つのＣＤ収納片６を備え、一つのＣＤ収納体２に二枚のＣＤ１４が収納される点が前記第１実施例と異なる。
すなわち、第２実施例の片体４６は、互いに平行する第１、第２、第３折れ線２０、２２、４２を介して連設された第１、第２、第３、第４片体２４、２６、２８、４４を備え、第３片体２８と第４片体４４にそれぞれＣＤ挿入用開口１２が形成されている。
そして、図１２（Ａ）で示すように、片体４６の上下左右に糊が塗布され、図１２（Ｂ）で示すように、第２折れ線２２を境に第３、第４片体４４が第１、第２片体２６上に重ね合わされ接着されて二つのＣＤ収納片６が形成され、次に、図１２（Ｃ）に示すように、第１、第３折れ線２０、４２を境に双方のＣＤ収納片６を向かい合わせるように折り畳んでＣＤ収納体２が得られ、図１２（Ｄ）にその平面図を示す。
【００２３】
次に、図１３を参照して第２実施例の変形例１について説明する。
変形例１に係る片体４６では、第１片体２４と第４片体４４にそれぞれＣＤ挿入用開口１２が形成されている。
そして、図１３（Ａ）で示すように、片体４６の上下左右と第２折れ線２２部分に糊が塗布され、図１３（Ｂ）で示すように、第２、第３折れ線２０、４２を境に第１、第４片体２４、４４が第２、第３片体２６、２８上に重ね合わされ接着されて二つのＣＤ収納片６が形成され、次に、図１３（Ｃ）に示すように、第２折れ線２２を境に双方のＣＤ収納片６を向かい合わせるように折り畳んでＣＤ収納体２が得られる。
【００２４】
次に、図１４を参照して第２実施例の変形例２について説明する。
変形例２に係る片体４６では、第１片体２４と第３片体２８にそれぞれＣＤ挿入用開口１２が形成されている。
そして、図１４（Ａ）で示すように、第１、第２片体２４、２６の表面の上下左右と、第３、第４片体２８、４４の裏面の上下左右にそれぞれ糊が塗布され、図１４（Ｂ）で示すように、第１折れ線２０を境に第１、第２片体２４、２６が谷折りされて接着され、第３折れ線４２を境に第３、第４片体２８、４４が山折りされて第３、第４片体２８、４４が接着され、これにより二つのＣＤ収納片６が形成され、次に、図１４（Ｃ）に示すように、第２折れ線２２を境に双方のＣＤ収納片６を向かい合わせるように折り畳んでＣＤ収納体２が得られる。
【００２５】
次に、図１５を参照して第２実施例の変形例３について説明する。
変形例３に係る片体４６では、第２片体２６と第３片体２８にそれぞれＣＤ挿入用開口１２が形成されている。
そして、図１５（Ａ）で示すように、片体４６の裏面の上下左右と第２折れ線２２部分に糊が塗布され、図１５（Ｂ）で示すように、第２、第３折れ線２２、４２部分が山折りされて第１、第４片体２４、４４が第２、第３片体２６、２８上に重ね合わされて接着され、二つのＣＤ収納片６が形成され、次に、図１５（Ｃ）に示すように、第２折れ線２２を境に双方のＣＤ収納片６を向かい合わせるように折り畳んでＣＤ収納体２が得られる。
【００２６】
次に、図１６乃至図１８を参照して第２実施例の変形例４について説明する。
変形例４に係る片体５０は、図１６（Ａ）に示すように、図１２に示す第１片体２４の左側に第４折れ線５２を介して第５片体５４を連設したものである。
そして、第１片体２４と左側と、第４片体４４の右側と、第１乃至第４片体２４、２６、２８、４４の上下に糊が塗布され、図１６（Ｂ）で示すように、第２折れ線２２を境に第３、第４片体２８、４４が第１、第２片体２４、２６上に重ね合わされ接着されて二つのＣＤ収納片６が形成される。
次に、図１７（Ａ）、（Ｂ）に示すように、第１、第３折れ線２０、４２を境に双方のＣＤ収納片６を向かい合わせるように折り畳まれ、第５片体５４で第２片体２６を覆うように第４折れ線５２部分が谷折りされてＣＤ収納体２が得られる。
或は、図１８（Ａ）、（Ｂ）に示すように、第１、第３折れ線２０、４２を境に双方のＣＤ収納片６を向かい合わせるように折り畳まれ、第５片体５４で第１片体２４を覆うように第４折れ線５２部分が山折りされてＣＤ収納体２が得られる。
【００２７】
次に、図１９乃至図２４を参照して第２実施例の変形例５について説明する。
変形例５に係る片体は、図１９（Ａ）及び図２２（Ａ）に示すように、図１５に示す第４片体４４の右側に第４折れ線５２を介して第５片体５４を連設したものである。
そして、図１９乃至図２１では、表面において、第１片体２４の左側と、第２片体２６の右側と、第１、第２片体２４、２６の上下に糊が塗布され、また、裏面において、第３片体２８の左側と、第４片体４４の右側と、第３、第４片体２８、４４の上下に糊が塗布され、図１９（Ｂ）で示すように、第１折れ線２０部分が谷折りされ、第３折れ線４２部分が山折りされ、接着されて二つのＣＤ収納片６が形成される。
次に、図２０（Ａ）、（Ｂ）に示すように、第２、第４折れ線２２、５２部分を谷折りしてＣＤ収納体２が得られる。
或は、図２１（Ａ）、（Ｂ）に示すように、第２折れ線２２を境に双方のＣＤ収納片６を向かい合わせるように折り畳まれ、第４折れ線５２部分が山折りされてＣＤ収納体２が得られる。
【００２８】
また、変形例５に係る片体５０は、糊を塗布する箇所や折り方を変えることにより図２０、図２１とは異なった形状のＣＤ収納体２が得られる。
すなわち、図２２（Ａ）に示すように、表面において、第１片体２４の左側と、第４片体４４の右側と、第２折れ線２２部分と、第１乃至第４片体２４、２６、２８、４４の上下に糊が塗布され、図２２（Ｂ）で示すように、第１折れ線２０部分と第３折れ線４２部分が谷折りされ、接着されて二つのＣＤ収納片６が形成される。
そして、図２３（Ａ）、（Ｂ）に示すように、第２折れ線２２部分が山折りされ、第５片体５４が第１片体２４の外側に位置するように第４折れ線５２部分が山折りされてＣＤ収納体２が得られる。
或は、図２４（Ａ）、（Ｂ）に示すように、第２折れ線２２部分が山折りされ、第５片体５４が第４片体４４の外側に位置するように第４折れ線５２部分が谷折りされてＣＤ収納体２が得られる。
【００２９】
次に、図２５乃至図３０を参照して第２実施例の変形例６について説明する。
変形例６に係る片体５０は、図２５（Ａ）、図２８（Ａ）に示すように、図１４に示す第１片体２４の右側に第４折れ線５２を介して第５片体５４を連設したものである。
そして、図２５（Ａ）に示すように、第１片体２４の左側と、第４片体４４の右側と、第１乃至第４片体２４、２６、２８、４４の上下に糊が塗布され、図２５（Ｂ）で示すように、第２折れ線２２を境に第１、第２片体２４、２６が第３、第４片体２８、４４上に重ね合わされ接着されて二つのＣＤ収納片６が形成される。
次に、図２６（Ａ）、（Ｂ）に示すように、第１、第３折れ線２０、４２部分が谷折りされ、第５片体５４で第１片体２４を覆うように第４折れ線５２部分が谷折りされてＣＤ収納体２が得られる。
或は、図２７（Ａ）、（Ｂ）に示すように、第１、第３折れ線２０、４２部分が谷折りされ、第４折れ線５２部分が山折りされてＣＤ収納体２が得られる。
【００３０】
図２８（Ａ）に示す変形例６では、図２５（Ａ）の場合と糊の塗布箇所及び折り畳み方法が異なる。
すなわち、片体５０の表面において、第１片体２４と左側と、第１、第２片体２４、２６の上下に糊が塗布され、片体５０の裏面において、第４片体４４と右側と、第３、第４片体２８、４４の上下に糊が塗布され、図２８（Ｂ）で示すように、第１折れ線２０部分が谷折りされ、第３折れ線４２部分が山折りされて二つのＣＤ収納片６が形成される。
次に、図２９（Ａ）、（Ｂ）に示すように、第２折れ線２２部分が谷折りされ、第４折れ線５２部分が山折りされてＣＤ収納体２が得られる。
或は、図３０（Ａ）、（Ｂ）に示すように、第２折れ線２２部分が谷折りされ、第５片体５４で第２片体２６を覆うように第４折れ線５２部分が谷折りされてＣＤ収納体２が得られる。
【００３１】
次に、図３１乃至図３９を参照して第２実施例の変形例７について説明する。
変形例７に係る片体は、図３１（Ａ）、図３４（Ａ）、図３７（Ａ）に示すように、第２片体２６と第４片体４４にＣＤ挿入用開口１２を形成したものである。
そして、図３１（Ａ）に示すように、第１片体２４の左側と、第４片体４４の右側と、第２折れ線２２部分と、第１乃至第４片体２４、２６、２８、４４の上下に糊が塗布され、図３１（Ｂ）で示すように、第１、第３折れ線２０、４２部分がそれぞれ谷折りされて二つのＣＤ収納片６が形成される。
次に、図３２（Ａ）、（Ｂ）に示すように、第２折れ線２２部分が山折りされ、第４折れ線５２部分が谷折りされてＣＤ収納体２が得られる。
或は、図３３（Ａ）、（Ｂ）に示すように、第２折れ線２２部分が山折りされ、第５片体５４で第１片体２４を覆うように第４折れ線５２部分が山折りされてＣＤ収納体２が得られる。
【００３２】
図３４（Ａ）に示す変形例７では、図３１（Ａ）の場合と糊の塗布箇所及び折り畳み方法が異なる。
すなわち、片体５０の裏面において、第１片体２４と左側と、第２片体２６の右側と、第１、第２片体２４、２６の上下に糊が塗布され、片体５０の表面において、第３片体２８の左側と、第４片体４４と右側と、第３、第４片体２８、４４の上下に糊が塗布され、図３４（Ｂ）で示すように、第１折れ線２０部分が山折りされ、第３折れ線４２部分が谷折りされて二つのＣＤ収納片６が形成される。
次に、図３５（Ａ）、（Ｂ）に示すように、第２、第４折れ線２２、５２部分がそれぞれ谷折りされてＣＤ収納体２が得られる。
或は、図３６（Ａ）、（Ｂ）に示すように、第２折れ線２２部分が山折りされ、第４折れ線５２部分が谷折りされてＣＤ収納体２が得られる。
【００３３】
図３７（Ａ）に示す変形例７では、図３１（Ａ）、図３４（Ａ）の場合と糊の塗布箇所及び折り畳み方法が異なる。
すなわち、片体５０の表面において、第１片体２４と左側と、第２片体２６の右側と、第１、第２片体２４、２６の上下に糊が塗布され、片体５０の裏面において、第３片体２８の左側と、第４片体４４と右側と、第３、第４片体２８、４４の上下に糊が塗布され、図３７（Ｂ）で示すように、第１折れ線２０部分が谷折りされ、第３折れ線４２部分が山折りされて二つのＣＤ収納片６が形成される。
次に、図３８（Ａ）、（Ｂ）に示すように、第２折れ線２２部分が谷折りされ、第４折れ線５２部分がそれぞれ山折りされてＣＤ収納体２が得られる。
或は、図３９（Ａ）、（Ｂ）に示すように、第４折れ線５２部分が山折りされ、第２折れ線２２部分が山折りされてＣＤ収納体２が得られる。
【００３４】
次に、ＣＤ収納片６を構成する第１、第２片体２４、２６と、第３、第４片体２８、４４との間に、第５片体５４を設けた変形例８について説明する。
図４０（Ａ）に示す片体６０では、互いに平行する第１乃至第４折れ線６１、６２、６３、６４を介して、第１、第２、第５、第３、第４片体２４、２６、５４、２８、４４が形成され、第２片体２６と第３片体２８にＣＤ挿入用開口１２が形成されている。
そして、第１片体２４と左側と、第２片体２６の右側と、第１、第２片体２４、２６の上下に糊が塗布され、また、第３片体２８の左側と、第４片体４４と右側と、第３、第４片体２８、４４の上下に糊が塗布され、図４０（Ｂ）で示すように、第１、第４折れ線６１、６４部分がそれぞれ谷折りされて二つのＣＤ収納片６が形成される。
次に、図４１（Ａ）、（Ｂ）に示すように、第２、第３折れ線６２、６３部分がそれぞれ谷折りされてＣＤ収納体２が得られる。
或は、図４２（Ａ）、（Ｂ）に示すように、第２折れ線６２部分が谷折りされ、第３折れ線６３部分が山折りされてＣＤ収納体２が得られる。
【００３５】
図４３（Ａ）に示す変形例８では、図４０（Ａ）の場合と糊の塗布箇所及び折り畳み方法が異なる。
すなわち、片体６０の裏面において、第１片体２４と左側と、第２片体２６の右側と、第１、第２片体２４、２６の上下に糊が塗布され、また、片体６０の表面において、第３片体２８の左側と、第４片体４４と右側と、第３、第４片体２８、４４の上下に糊が塗布され、図４３（Ｂ）で示すように、第１折れ線６１部分が山折りされ、第４折れ線６４部分が谷折りされて二つのＣＤ収納片６が形成される。
次に、図４４（Ａ）、（Ｂ）に示すように、第２折れ線６２部分が谷折りされ、第３折れ線６３部分が山折りされてＣＤ収納体２が得られる。
或は、図４５（Ａ）、（Ｂ）に示すように、第２、第３折れ線６２、６３部分がそれぞれ谷折りされてＣＤ収納体２が得られる。
【００３６】
次に、図４６乃至図５１を参照して第２実施例の変形例９について説明する。
変形例９に係る片体６０は、図４６（Ａ）、図４９（Ａ）に示すように、第１片体２４と第４片体４４にＣＤ挿入用開口１２が形成されている。
そして、第１片体２４と左側と、第２片体２６の右側と、第１、第２片体２４、２６の上下に糊が塗布され、また、第３片体２８の左側と、第４片体４４と右側と、第３、第４片体２８、４４の上下に糊が塗布され、図４６（Ｂ）で示すように、第１、第４折れ線６１、６４部分がそれぞれ谷折りされて二つのＣＤ収納片６が形成される。
次に、図４７（Ａ）、（Ｂ）に示すように、第２、第３折れ線６２、６３部分がそれぞれ谷折りされてＣＤ収納体２が得られる。
或は、図４８（Ａ）、（Ｂ）に示すように、第２折れ線６２部分が山折りされ、第３折れ線６３部分が谷折りされてＣＤ収納体２が得られる。
【００３７】
図４９（Ａ）に示す片体では、図４６（Ａ）の場合と糊の塗布箇所及び折り畳み方法が異なる。
すなわち、片体の表面において、第１片体２４と左側と、第２片体２６の右側と、第１、第２片体２４、２６の上下に糊が塗布され、また、片体の裏面において、第３片体２８の左側と、第４片体４４と右側と、第３、第４片体２８、４４の上下に糊が塗布され、図４９（Ｂ）で示すように、第１折れ線６１部分が谷折りされ、第４折れ線６４部分が山折りされて二つのＣＤ収納片６が形成される。
次に、図５０（Ａ）、（Ｂ）に示すように、第２、第３折れ線６２、６３部分がそれぞれ谷折りされてＣＤ収納体２が得られる。
或は、図５１（Ａ）、（Ｂ）に示すように、第２折れ線６２部分が谷折りされ、第３折れ線６３部分が山折りされてＣＤ収納体２が得られる。
【００３８】
次に、図５２乃至図５７を参照して第２実施例の変形例１０について説明する。
変形例１０に係る片体６０は、図５２（Ａ）、図５５（Ａ）に示すように、第１片体２４と第３片体２８にＣＤ挿入用開口１２を形成したものである。
そして、図５２（Ａ）に示すように、片体６０の表面において、第１片体２４の左側と、第２片体２６の右側と、第１、第２片体２４、２６の上下に糊が塗布され、片体６０の裏面において、第３片体２８の左側と、第４片体４４の右側と、第３、第４片体２８、４４の上下に糊が塗布され、図５２（Ｂ）で示すように、第１折れ線６１部分が谷折りされ、第４折れ線６４部分が山折りされて二つのＣＤ収納片６が形成される。
次に、図５３（Ａ）、（Ｂ）に示すように、第２折れ線６２部分が谷折りされ、第３折れ線６３部分が谷折りされてＣＤ収納体２が得られる。
或は、図５４（Ａ）、（Ｂ）に示すように、第２折れ線６２部分が谷折りされ、第３折れ線６３部分が山折りされてＣＤ収納体２が得られる。
【００３９】
図５５（Ａ）に示す片体では、図５２（Ａ）の場合と糊の塗布箇所及び折り畳み方法が異なる。
すなわち、片体６０の表面において、第１片体２４と左側と、第２片体２６の右側と、第１、第２片体２４、２６の上下に糊が塗布され、また、第３片体２８の左側と、第４片体４４と右側と、第３、第４片体２８、４４の上下に糊が塗布され、図５５（Ｂ）で示すように、第１、第４折れ線６４部分が谷折りされて二つのＣＤ収納片６が形成される。
次に、図５６（Ａ）、（Ｂ）に示すように、第３折れ線６３部分が谷折りされ、第２折れ線６２部分が谷折りされてＣＤ収納体２が得られる。
或は、図５７（Ａ）、（Ｂ）に示すように、第２折れ線６２部分が谷折りされ、第３折れ線６３部分が山折りされてＣＤ収納体２が得られる。
【００４０】
次に、図５８、図５９を参照してＣＤ収納片６を三つ設けた第３実施例について説明する。
図５８（Ａ）に示す片体７０では、互いに平行する第１乃至第６折れ線７１、７２、７３、７４、７５、７６を介して、第１乃至第７片体８１、８２、８３、８４、８５、８６、８７が形成され、第２、第４、第６片体８２、８４、８６にＣＤ挿入用開口１２がそれぞれ形成されている。
そして、片体７０の裏面で、第２片体８２と左側と、第７片体８７の右側と、第２乃至第７片体８２、８３、８４、８５、８６、８７の上下に糊が塗布され、図５８（Ｂ）、（Ｃ）で示すように、第１、第３、第５折れ線７１、７３、７５部分がそれぞれ谷折りされ、第２、第４、第６折れ線７２、７４、７６部分がそれぞれ山折りされて三つのＣＤ収納片６を有するＣＤ収納体２が形成されている。
【００４１】
次に、図５９を参照して第３実施例の変形例について説明する。
図５９（Ａ）に示す片体９０は、図５８（Ａ）に示す片体７０の第１片体８１の左側に、互いに平行する第７、第８折れ線７７、７８を介して第８、第９片体８８、８９が連設されたものである。
そして、片体９０の裏面に、図５８で示す第３実施例と同様に糊が塗布され、図５９（Ｂ）で示すように、第１、第３、第５折れ線７１、７３、７５部分がそれぞれ谷折りされ、第２、第４、第６折れ線７２、７４、７６部分がそれぞれ山折りされ、更に、第７、第８折れ線７７、７８部分が山折りされて三つのＣＤ収納片６を有するＣＤ収納体２が得られる。
【００４２】
次に、図６０を参照して本発明の第４実施例について説明する。
第４実施例の片体１００は、図１に示す第１実施例の片体１８の第１片体２４と第２片体２６の間に第３折れ線１０３を介して背用片体１１２を設けたものである。
背用片体１１２は上下に細長の長方形に形成され、背用片体１１２の幅は、第１、第２、第３片体２４、２６、２８の厚みにＣＤ１４の厚みを加えた程度の寸法で形成されている。
片体１００からＣＤ収納体２を製作するには、前記第１実施例と同様に、図６０（Ａ）に斜線で示すように、第２片体２６の左側と、第３片体２８の右側と、第２、第３片体２６、２８の上下に糊が塗布され、図６０（Ｂ）で示すように、第２折れ線２２部分が谷折りされてＣＤ収納片６が形成され、図６０（Ｃ）で示すように、折れ線２０、１０３部分がそれぞれ谷折りされてＣＤ収納体２が得られる。
第２実施例では、片体１００として厚みの大きい厚紙や合成樹脂製シートを用いた場合、中央部が膨らむことがなく、扁平性を確保する上で有利となる。
【００４３】
次に、図６１を参照して第４実施例の変形例１について説明する。
図６１（Ａ）に示すように、変形例１に係る片体１００は、第４実施例の背用片体１１２と第２片体２６との間に第４折れ線１０４を介して第４片体１１４を連設したものである。
そして、第４実施例と同様に、第２、第３片体２６、２８によりＣＤ収納片６を形成し、図６１（Ｂ）で示すように、折れ線１０４、２０、１０３部分がそれぞれ谷折りされてＣＤ収納体２が得られる。
【００４４】
次に、図６２を参照して第４実施例の変形例２について説明する。
変形例２に係る片体１００は、図６０（Ａ）に示す第４実施例の背用片体１１２の幅を、本文３０の厚みに対応した寸法で形成し、図６２（Ａ）、（Ｂ）で示すように、本文３０の背を接着剤により背用片体１１２に取着することで無線綴本を構成し、ＣＤ収納体２を無線綴本の表紙として使用するようにしたものである。
【００４５】
次に、図６３を参照してＣＤ収納片６の変形例について説明する。
図６３（Ａ）では、ＣＤ収納片６に、二つのＣＤ収納部４を上下に並べて設けたものであり、図６３（Ｄ）では、ＣＤ収納片６に、四つのＣＤ収納部４を上下左右に並べて設けたものであり、図６３（Ｆ）では、ＣＤ収納片６に、三つのＣＤ収納部４を上下左右に並べて設けたものであり、ＣＤ挿入用開口１２からＣＤ収納部４へのＣＤ１４の挿入は上下方向（折れ線方向）からなされる。また、図６３（Ｂ）では、ＣＤ収納片６に、二つのＣＤ収納部４を上下に並べて設けたものであり、図６３（Ｃ）では、ＣＤ収納片６の下部に、一つのＣＤ収納部４を設けたものであり、図６３（Ｅ）では、ＣＤ収納片６に、四つのＣＤ収納部４を上下左右に並べて設けたものであり、図６３（Ｇ）では、ＣＤ収納片６に、三つのＣＤ収納部４を上下左右に並べて設けたものであり、ＣＤ挿入用開口１２からＣＤ収納部４へのＣＤの挿入は左右方向（折れ線と直交する方向）からなされる。
【００４６】
次に、図６４を参照して、ＣＤ挿入用開口１２の変形例について説明する。
図６４（Ａ）、（Ｂ）では、ＣＤ挿入用開口１２の上縁を、天地に平行に直線状に延出形成し、図６４（Ｃ）、（Ｄ）では円弧状に形成したものである。
また、図６４（Ａ）、（Ｃ）では、ＣＤ挿入用開口１２の下縁を、台形状に形成し、図６４（Ｂ）、（Ｄ）では円弧状に形成したものである。
また、図６４（Ｅ）、（Ｆ）、（Ｇ）、（Ｈ）は、図６４（Ａ）、（Ｂ）、（Ｃ）、（Ｄ）の挿入用開口を天地に対して斜めに形成したものである。
また、図６４（Ｉ）は、図６４（Ｅ）に示すＣＤ挿入用開口１２からＣＤ収納部４にＣＤ１４を袋１６と共に挿入した状態を示す。
【００４７】
次に、図６５を参照して、ＣＤ収納部４の変形例について説明する。
図６５（Ａ）では、切れ線により内側に向いた三つの係止片２０１を形成し、図６５（Ｂ）に示すように、これら係止片２０１の下側に、袋１６に封入されたＣＤ１４を挿入し、ＣＤ１４を収納するようにしたものである。
図６５（Ｃ）では、切れ線により斜め上方を向いた二つの係止片２０１を形成し、図６５（Ｄ）に示すように、これら係止片２０１の下側に、袋１６に封入されたＣＤ１４の下部を挿入し、ＣＤ１４を収納するようにしたものである。
図６５（Ｅ）では、切れ線により互いに向かい合う二等片直角三角形状の二つの係止片２０１を形成し、図６５（Ｆ）に示すように、これら係止片２０１の下側に、袋１６に封入されたＣＤ１４の下部を挿入し、ＣＤ１４を収納するようにしたものである。
図６５（Ｇ）では、切れ線により細幅で左右に延在するバンド状の係止片２０３を形成し、また、上方を向いた係止片２０１を形成し、図６５（Ｈ）に示すように、袋１６に封入されたＣＤ１４の中央部を係止片２０３の下側に挿入し、かつ、ＣＤ１４の下部を係止片２０１の下側に挿入し、ＣＤ１４を収納するようにしたものである。
図６５（Ｉ）、（Ｊ）では、切れ線によりＴ字型のバンド状の係止片２０５を形成し、袋１６に封入されたＣＤ１４を係止片２０５の下側に挿入し、ＣＤ１４を収納するようにしたものである。
【図面の簡単な説明】
【００４８】
【図１】（Ａ）乃至（Ｆ）は第１実施例に係るＣＤ収納体の説明図である。
【図２】（Ａ）、（Ｂ）は第１実施例に係るＣＤ収納体の説明図である。
【図３】第１実施例に係るＣＤ収納体の説明図である。
【図４】（Ａ）、（Ｂ）は第１実施例に係るＣＤ収納体の説明図である。
【図５】（Ａ）乃至（Ｃ）は第１実施例の変形例１に係るＣＤ収納体の説明図である。
【図６】（Ａ）乃至（Ｃ）は第１実施例の変形例２に係るＣＤ収納体の説明図である。
【図７】（Ａ）乃至（Ｃ）は第１実施例の変形例２に係るＣＤ収納体の説明図である。
【図８】（Ａ）、（Ｂ）は第１実施例の変形例３に係るＣＤ収納体の説明図である。
【図９】（Ａ）乃至（Ｃ）は第１実施例の変形例３に係るＣＤ収納体の説明図である。
【図１０】（Ａ）、（Ｂ）は第１実施例の変形例４に係るＣＤ収納体の説明図である。
【図１１】（Ａ）、（Ｂ）は第１実施例の変形例４に係るＣＤ収納体の説明図である。
【図１２】（Ａ）乃至（Ｄ）は第２実施例に係るＣＤ収納体の説明図である。
【図１３】（Ａ）乃至（Ｃ）は第２実施例の変形例１に係るＣＤ収納体の説明図である。
【図１４】（Ａ）乃至（Ｃ）は第２実施例の変形例２に係るＣＤ収納体の説明図である。
【図１５】（Ａ）乃至（Ｃ）は第２実施例の変形例３に係るＣＤ収納体の説明図である。
【図１６】（Ａ）、（Ｂ）は第２実施例の変形例４に係るＣＤ収納体の説明図である。
【図１７】（Ａ）、（Ｂ）は第２実施例の変形例４に係るＣＤ収納体の説明図である。
【図１８】（Ａ）、（Ｂ）は第２実施例の変形例４に係るＣＤ収納体の説明図である。
【図１９】（Ａ）、（Ｂ）は第２実施例の変形例５に係るＣＤ収納体の説明図である。
【図２０】（Ａ）、（Ｂ）は第２実施例の変形例５に係るＣＤ収納体の説明図である。
【図２１】（Ａ）、（Ｂ）は第２実施例の変形例５に係るＣＤ収納体の説明図である。
【図２２】（Ａ）、（Ｂ）は第２実施例の変形例５に係るＣＤ収納体の説明図である。
【図２３】（Ａ）、（Ｂ）は第２実施例の変形例５に係るＣＤ収納体の説明図である。
【図２４】（Ａ）、（Ｂ）は第２実施例の変形例５に係るＣＤ収納体の説明図である。
【図２５】（Ａ）、（Ｂ）は第２実施例の変形例６に係るＣＤ収納体の説明図である。
【図２６】（Ａ）、（Ｂ）は第２実施例の変形例６に係るＣＤ収納体の説明図である。
【図２７】（Ａ）、（Ｂ）は第２実施例の変形例６に係るＣＤ収納体の説明図である。
【図２８】（Ａ）、（Ｂ）は第２実施例の変形例６に係るＣＤ収納体の説明図である。
【図２９】（Ａ）、（Ｂ）は第２実施例の変形例６に係るＣＤ収納体の説明図である。
【図３０】（Ａ）、（Ｂ）は第２実施例の変形例６に係るＣＤ収納体の説明図である。
【図３１】（Ａ）、（Ｂ）は第２実施例の変形例７に係るＣＤ収納体の説明図である。
【図３２】（Ａ）、（Ｂ）は第２実施例の変形例７に係るＣＤ収納体の説明図である。
【図３３】（Ａ）、（Ｂ）は第２実施例の変形例７に係るＣＤ収納体の説明図である。
【図３４】（Ａ）、（Ｂ）は第２実施例の変形例７に係るＣＤ収納体の説明図である。
【図３５】（Ａ）、（Ｂ）は第２実施例の変形例７に係るＣＤ収納体の説明図である。
【図３６】（Ａ）、（Ｂ）は第２実施例の変形例７に係るＣＤ収納体の説明図である。
【図３７】（Ａ）、（Ｂ）は第２実施例の変形例７に係るＣＤ収納体の説明図である。
【図３８】（Ａ）、（Ｂ）は第２実施例の変形例７に係るＣＤ収納体の説明図である。
【図３９】（Ａ）、（Ｂ）は第２実施例の変形例７に係るＣＤ収納体の説明図である。
【図４０】（Ａ）、（Ｂ）は第２実施例の変形例８に係るＣＤ収納体の説明図である。
【図４１】（Ａ）、（Ｂ）は第２実施例の変形例８に係るＣＤ収納体の説明図である。
【図４２】（Ａ）、（Ｂ）は第２実施例の変形例８に係るＣＤ収納体の説明図である。
【図４３】（Ａ）、（Ｂ）は第２実施例の変形例８に係るＣＤ収納体の説明図である。
【図４４】（Ａ）、（Ｂ）は第２実施例の変形例８に係るＣＤ収納体の説明図である。
【図４５】（Ａ）、（Ｂ）は第２実施例の変形例８に係るＣＤ収納体の説明図である。
【図４６】（Ａ）、（Ｂ）は第２実施例の変形例９に係るＣＤ収納体の説明図である。
【図４７】（Ａ）、（Ｂ）は第２実施例の変形例９に係るＣＤ収納体の説明図である。
【図４８】（Ａ）、（Ｂ）は第２実施例の変形例９に係るＣＤ収納体の説明図である。
【図４９】（Ａ）、（Ｂ）は第２実施例の変形例９に係るＣＤ収納体の説明図である。
【図５０】（Ａ）、（Ｂ）は第２実施例の変形例９に係るＣＤ収納体の説明図である。
【図５１】（Ａ）、（Ｂ）は第２実施例の変形例９に係るＣＤ収納体の説明図である。
【図５２】（Ａ）、（Ｂ）は第２実施例の変形例１０に係るＣＤ収納体の説明図である。
【図５３】（Ａ）、（Ｂ）は第２実施例の変形例１０に係るＣＤ収納体の説明図である。
【図５４】（Ａ）、（Ｂ）は第２実施例の変形例１０に係るＣＤ収納体の説明図である。
【図５５】（Ａ）、（Ｂ）は第２実施例の変形例１０に係るＣＤ収納体の説明図である。
【図５６】（Ａ）、（Ｂ）は第２実施例の変形例１０に係るＣＤ収納体の説明図である。
【図５７】（Ａ）、（Ｂ）は第２実施例の変形例１０に係るＣＤ収納体の説明図である。
【図５８】（Ａ）乃至（Ｃ）は第３実施例に係るＣＤ収納体の説明図である。
【図５９】（Ａ）、（Ｂ）は第３実施例の変形例に係るＣＤ収納体の説明図である。
【図６０】（Ａ）乃至（Ｃ）は第４実施例に係るＣＤ収納体の説明図である。
【図６１】（Ａ）、（Ｂ）は第４実施例の変形例１に係るＣＤ収納体の説明図である。
【図６２】（Ａ）、（Ｂ）は第４実施例の変形例２に係るＣＤ収納体の説明図である。
【図６３】（Ａ）乃至（Ｇ）はＣＤ収納片の変形例の説明図である。
【図６４】（Ａ）乃至（Ｉ）はＣＤ挿入用開口の変形例の説明図である。
【図６５】（Ａ）乃至（Ｊ）はＣＤ収納部の変形例の説明図である。
【符号の説明】
【００４９】
２……ＣＤ収納体、４……ＣＤ収納部、６……ＣＤ収納片、８……カバー片、１２……ＣＤ挿入用開口、１４……ＣＤ、１６……袋。
【図１】
2004345740.tif 000003
【図２】
2004345740.tif 000004
【図３】
2004345740.tif 000005
【図４】
2004345740.tif 000006
【図５】
2004345740.tif 000007
【図６】
2004345740.tif 000008
【図７】
2004345740.tif 000009
【図８】
2004345740.tif 000010
【図９】
2004345740.tif 000011
【図１０】
2004345740.tif 000012
【図１１】
2004345740.tif 000013
【図１２】
2004345740.tif 000014
【図１３】
2004345740.tif 000015
【図１４】
2004345740.tif 000016
【図１５】
2004345740.tif 000017
【図１６】
2004345740.tif 000018
【図１７】
2004345740.tif 000019
【図１８】
2004345740.tif 000020
【図１９】
2004345740.tif 000021
【図２０】
2004345740.tif 000022
【図２１】
2004345740.tif 000023
【図２２】
2004345740.tif 000024
【図２３】
2004345740.tif 000025
【図２４】
2004345740.tif 000026
【図２５】
2004345740.tif 000027
【図２６】
2004345740.tif 000028
【図２７】
2004345740.tif 000029
【図２８】
2004345740.tif 000030
【図２９】
2004345740.tif 000031
【図３０】
2004345740.tif 000032
【図３１】
2004345740.tif 000033
【図３２】
2004345740.tif 000034
【図３３】
2004345740.tif 000035
【図３４】
2004345740.tif 000036
【図３５】
2004345740.tif 000037
【図３６】
2004345740.tif 000038
【図３７】
2004345740.tif 000039
【図３８】
2004345740.tif 000040
【図３９】
2004345740.tif 000041
【図４０】
2004345740.tif 000042
【図４１】
2004345740.tif 000043
【図４２】
2004345740.tif 000044
【図４３】
2004345740.tif 000045
【図４４】
2004345740.tif 000046
【図４５】
2004345740.tif 000047
【図４６】
2004345740.tif 000048
【図４７】
2004345740.tif 000049
【図４８】
2004345740.tif 000050
【図４９】
2004345740.tif 000051
【図５０】
2004345740.tif 000052
【図５１】
2004345740.tif 000053
【図５２】
2004345740.tif 000054
【図５３】
2004345740.tif 000055
【図５４】
2004345740.tif 000056
【図５５】
2004345740.tif 000057
【図５６】
2004345740.tif 000058
【図５７】
2004345740.tif 000059
【図５８】
2004345740.tif 000060
【図５９】
2004345740.tif 000061
【図６０】
2004345740.tif 000062
【図６１】
2004345740.tif 000063
【図６２】
2004345740.tif 000064
【図６３】
2004345740.tif 000065
【図６４】
2004345740.tif 000066
【図６５】
2004345740.tif 000067